Podtech/llm-jp-corpus-v4-ja_patent huggingface dataset:
(57)【要約】      （修正有）【課題】スイッチカバーを取り付け、誰でも適切なスイッチ操作が出来るように操作指示事項等を必要なスイッチの位置に任意で表記できるようにした透明ビニール製のスイッチカバーを提供する。【解決手段】透明ビニール製のスイッチカバーは、透明ビニール製スイッチカバー本体１の上辺裏面に両面テープ２を貼り、スイッチ本体と重なる様に貼り付ける。スイッチの位置に合わせて必要な情報を記載したシール３などを貼り付ける。これにより誰でも適切なスイッチ操作が出来るようにする。【選択図】図１
0003235556.tif 000002
【実用新案登録請求の範囲】
【請求項１】
電気照明等のスイッチにおいて、個々のスイッチがどの場所に対応しているのか、また点灯、非点灯などの操作指示事項等をそのスイッチカバーにスイッチの位置に合わせて自由に文字や記号で記入したり、シール貼りをしたりする事が出来る透明ビニール製のスイッチカバー。
材質を透明なビニール製のものとする事でスイッチ操作が容易であると共に濡れた手でも操作が可能になる。
【考案の詳細な説明】
【技術分野】
【０００１】本考案は、スイッチの操作指示事項等をスイッチの位置に合わせて任意で表記できるようにしたスイッチカバーに関するものである。
【背景技術】
【０００２】オフィス、工場、公共施設など照明スイッチが複数ある施設においてどのスイッチがどの照明に対応しているかを示すために図面と対照させたりしている。また、節電の指示や時間帯によっての点灯、非点灯の指示などをスイッチの近くに張り紙等で補助表示していた。しかし、いずれも判りにくく誰でもが直ぐに理解しスイッチを操作する事が難しかった。
【先行技術文献】
【特許文献】
【０００３】
【特許文献１】なし
【非特許文献】なし
【０００４】
【非特許文献１】なし
【非特許文献２】なし
【考案の概要】
【考案が解決しようとする課題】
【０００５】複数の人が使用する照明のスイッチなどにおいて、その役割を周知する事が難しく使用後に消そうとした際に別の使用中の照明を誤って消してしまったり、節電すべき照明が判らず結局全部点灯させていたりする。
スイッチに表示できる情報に限りがあるためであるが、それを補完し誰でも適切なスイッチ操作が出来るようにするものである。
【課題を解決するための手段】
【０００６】本考案はスイッチの上に透明ビニール製スイッチカバーを取り付け、そこに必要な情報をシール貼りしたり文字や記号などを記入したりする事で誰でもが明確にスイッチの役割を認識する事が出来るようになり、課題を解決している。
【考案の効果】
【０００７】これまではスイッチの限られた小さなスペースに表記出来る情報が少なかったが、透明ビニール製スイッチカバーを利用し、そこに必要な情報を記載することで誰でもが容易にスイッチ操作出来るようになる。
【図面の簡単な説明】
【０００８】
【図１】本考案の透明ビニール製スイッチカバーの実施例を示す図である。
【図２】実施例を示す写真である。
【考案を実施するための形態】
【０００９】スイッチ本体の大きさの透明ビニール製スイッチカバーの上辺部裏面に両面テープを付け透明ビニール製スイッチカバーを持ち上げる事も可能なようにスイッチの上に重なるように貼り付ける。
透明ビニール製スイッチカバーに各スイッチの位置に合わせて必要な情報をシール貼りしたり文字や記号などを記入したりする事で誰でも適切なスイッチ操作が出来るようにする。
【実施例】
【００１０】以下、添付図面に従って一実施例を説明する。１は透明ビニール製スイッチカバー本体である。２の透明ビニール製スイッチカバーの上辺裏面に両面テープを貼り、スイッチ本体と重なる様に貼り付ける。各スイッチの位置に合わせて３の様に必要な情報を記載したシールなどを貼り付ける。
【符号の説明】
【００１１】  １  透明ビニール製スイッチカバー本体
２  （この位置の裏面に）両面テープ
３  シールなどで必要なスイッチ位置に必要な情報を記載する
【図１】
0003235556.tif 000003
【図２】
0003235556.tif 000004
【手続補正書】
【提出日】令和3年10月6日(2021.10.6)
【手続補正１】
【補正対象書類名】実用新案登録請求の範囲
【補正対象項目名】請求項１
【補正方法】変更
【補正の内容】
【請求項１】
電気照明等のスイッチにおいて、限られたスペースでは各スイッチの役割や操作指示を充分に表示することが難しいことから、必要な情報を追記でき、元のスイッチも確認できるようにスイッチ本体が透けて見えるようにした透明ビニール製のスイッチカバー。
(57)【要約】      （修正有）【課題】携帯に便利な持ち手がカバーになる携帯用スプーンを提供する。【解決手段】匙部分１に上カバー２と下カバー３を設け、上カバーの一端に前カバー７を設け、下カバーの左右に側面カバー４を設け、下カバーから側面カバーが回転するように接続部品６を設ける。側面カバーが上カバーと前カバーと下カバーを包むようにするため空間を開ける。【選択図】図１
0003235636.tif 000002
【実用新案登録請求の範囲】
【請求項１】
匙部分に上カバーと下カバーを設け、上カバーの一端に前カバーを設け、下カバーの左右に側面カバーを設け、下カバーから側面カバーが回転するように接続部分を設ける、側面カバーが上カバーと前カバーと下カバーを包むようにするため空間を開ける以上を特徴とする携帯用スプーン。
【考案の詳細な説明】
【技術分野】
【０００１】  本考案は、持ち手部分に変形機構を付けた携帯用スプーンに関するものである。
【背景技術】
【０００２】  従来、持ち手部分が携帯しやすいよう折りたためるものあった（特許文献１参照）。
また、カバーをナプキンなどに併用させるものがあった（特許文献２参照）。
また、カバーを分解し持ち手にするものがあった（特許文献３参照）。
【先行技術文献】
【特許文献】
【０００３】
【特許文献１】実用新案登録第３２３２５１２号公報
【特許文献２】実用新案登録第３２２０３６２号公報
【特許文献３】実用新案登録第３２２９９４１号公報
【考案の概要】
【考案が解決しようとする課題】
【０００４】  そのために次のような問題点があった。
（イ）スプーンを持ち運ぶとき別途カバーが必要だった。
（ロ）スプーンとカバーの洗浄が別々でしなければならなかった。
（ハ）分解するため接続部分が外れる心配があった。
（ニ）覆っているカバーをそのまま持ち手にするため匙部分より持ち手が大きく持ち辛い。
本考案は、これらの問題点を解決するためになされたものである。
【課題を解決するための手段】
【０００５】  匙部分に上カバーと背面カバーそれにつながる下カバーを設ける。
上カバーの一端に前カバーを設ける。
下カバーの左右に側面カバーを設ける。
下カバーから側面カバーが回転するように接続部分を設ける。
側面カバーが上カバーと前カバーと下カバーを包むようにするため側面カバーに空間を開ける。
以上を特徴とする携帯用スプーンである。
【考案の効果】
【０００６】  それにより次のように解決をした。
（イ）カバーをスプーンの持ち手になるようにした。
（ロ）すべての部品を一体化させ洗浄しやすくした。
（ハ）すべてを一体化するように軸で繋いだ。
（ニ）カバーを折りたたみながら持ち手になるようにした。
【図面の簡単な説明】
【０００７】
【図１】  本考案の分解図である。
【図２】  本考案の斜視図である。
【図３】  本考案の一部を切り欠いた側面図である。
【図４】  本考案の他の実施例を示した一部を切り欠いた側面図である。
【考案を実施するための形態】
【０００８】  以下、本考案を実施するための形態について説明する。
（イ）匙部分（１）の上部に回転軸でつないだ上カバー（２）を設け、背面部も回転軸でつないだ背面カバー（５）とさらにそれにつなげた下カバー（３）を設ける。
（ロ）上カバーの一端に前カバー（７）を設ける。
（ハ）下カバー（３）の左右に側面カバー（４）を設ける。
（ニ）下カバー（３）と側面カバー（４）をつなぐ接続部品（６）を設ける。
本考案は以上のような構成である。
【実施例】
【０００９】  本考案を使用するときは、側面カバー（４）につながる接続部品（６）を回転させるようにして９０°傾け、次に上カバー（２）を跳ね上げ匙部分（１）の軸を中心に１８０°回転させる。
上カバー（２）の一端にある前カバー（７）を内側に折りたたむ。
背面カバー（５）と下カバー（３）も上カバー（２）に水平になるように展開させ、上カバー（２）前カバー（７）下カバー（３）背面カバー（５）を側面カバー（４）で挟み込むように接続部品（６）を先述からさらに９０°回転させる。
これにより匙部分（１）が露出することでスプーンとして使用することができる。
【符号の説明】
【００１０】  １  匙部分
２  上カバー
３  下カバー
４  側面カバー
５  背面カバー
６  接続部品
７  前カバー
【図１】
0003235636.tif 000003
【図２】
0003235636.tif 000004
【図３】
0003235636.tif 000005
【図４】
0003235636.tif 000006
(57)【要約】      （修正有）【課題】水温と便座の温度調節機能を有する水圧局部洗浄機付き便座を提供する。【解決手段】洗浄機付き便座に電源式のヒーターと温度調節用コントローラーから成る熱源機を装備することで水温と便座の温度調節機能を付与し、使用者の任意の水温と便座の温度の選択が可能になり、環境に影響されずに快適に利用できる。【選択図】図１
0003235632.tif 000002
【実用新案登録請求の範囲】
【請求項１】
水圧のみで駆動する洗浄水噴出ノズルを備えた局部洗浄機付き便座に電源式のヒーターと温度調節用コントローラーから成る熱源機を装備し、温水機能と便座の保温機能を付与した温水保温機能つき水圧式局部洗浄機付き便座。
【考案の詳細な説明】
【技術分野】
【０００１】  本考案は水圧式局部洗浄機能付き便座に関する。
【技術背景】
【０００２】  生活を豊かにする道具に局部洗浄機能付き便座がある。水圧のみで作動する水圧式局部洗浄機付き便座（以下、洗浄機付き便座と記述）があり電源不要で設置と使用の制約は少ないが構造と動力の問題から付与された機能が水温と便座の温度調節が不可能なものしか存在しない。
【考案が解決しようとする課題】
【０００３】  従来の洗浄機付き便座には水温と便座の温度調節機能がない為、使用する環境によっては不快且つ不便な場合があるという不具合が生じる。
【課題を解決するための手段】
【０００４】  洗浄機付き便座に電源式のヒーターと温度調節用コントローラーから成る熱源機を装備することで水温と便座の温度調節機能を付与し、使用者の任意の水温と便座の温度の選択が可能になり、環境に影響されず快適に利用できるよう仕様変更したもの。これにより上記の課題を解決する手段とする。
【考案の効果】
【０００５】  従来の洗浄機能付き便座は水温と便座の温度調節が可能のものが存在せず、水温と便座の温度調節が不可能なものが一般的であり、使用する環境により不快且つ不便な場合があり、生活を豊かにする道具であるにも関わらず幅広い利用者を対象としたものであるとは言い難いものであった。
【考案を実施するための最良の形態】
【０００６】  洗浄機付き便座に電源式のヒーターと温度調節用コントローラーから成る熱源機を装備することで水温と便座の温度調節機能を付与し、使用者の任意の水温と便座の温度の選択が可能になり、環境に影響されずに快適に利用できるよう仕様変更したもの。
【図面の簡単な説明】
【０００７】
【図１】  全体図
【図１】
0003235632.tif 000003
(57)【要約】      （修正有）【課題】くさび型ドアストッパーの低静止摩擦力を改善し、玄関ドアの解放状態を確実に保持する、Ｌ型ドアストッパーを提供する。【解決手段】ドアストッパーの形体をＬ型にして、その床面２に接する角部において最大の曲げモーメントを発生させ、これに起因する高圧縮応力による高静止摩擦力が、ドアの開放状態を強力に保持することで、くさび型のドアストッパーの欠点を解決することができる。【選択図】図１
0003235631.tif 000002
【実用新案登録請求の範囲】
【請求項１】
開放状態の玄関ドアが風圧やドアクローザーにより閉鎖力を受けた際に、玄関ドア底面と床面の間に装着された本案のＬ型ドアストッパーの床面に接する角部における最大の曲げモーメントに起因する高圧縮応力による高摩擦力が、ドアの開放状態を強力に保持するＬ型ドアストッパー。
【請求項２】
玄関ドア底面と床面の間隔が大きい場合には、二段重ねにて使用できる請求項１のＬ型ドアストッパー。
【請求項３】
請求項１のＬ型ドアストッパーを向い合わせ加工した凹型のものを、玄関ドア底面と床面の間の先端部に装着すれば、玄関ドアの開放状態を前後に揺らぐことなく確実に保持できる凹型ドアストッパー。
【考案の詳細な説明】
【技術分野】
【０００１】  本案は、玄関ドアの開放状態を確実に保持するドアストッパーの形体に関するものである。
【背景技術】
【０００２】  玄関ドアを開放状態にすることへの最近の社会的背景としては、節電及び防カビ対策として夏季でのクーラー回避の自然通風や彩光の開放効果、さらにはコロナパンデミック対策からの自然換気の社会的要請もある。同時にまた、開放状態の玄関ドアは居住マンションの高層化により強風状態に晒されることも考慮すべきであろう。【０００３】  玄関ドアの開放状態を保持するドアストッパーの形体は様々なものがあるが、その形体は簡便さやコストの面で斜面利用のくさび型のものが多い。【０００４】  先行技術文献のくさび型のドアストッパーの形体に関して、床面に接する底面を凹凸にするなど様々な工夫を凝らしたものが多いが、物理的属性から摩擦力を高める効果は期待できない。また、逆風などによってドアストッパーの押し込み力が解除されると、静止摩擦から滑り摩擦に移行してストッパー機能は一瞬にして喪失し、ドアストッパーはドアと共に一体となってドアは閉鎖してしまう欠点がある。【０００５】  くさび型のドアストッパーの底面と床面との静止摩擦を大きくするために、その底面に粘着性の防滑材を使用しても、玄関ドアストッパーは屋外に晒されており塵埃や雨水によりその機能は早期に喪失する欠点がある。
【先行技術文献】
【特許文献】
【０００６】
【特許文献１】特開２０１８−０３５５２３
【特許文献２】実開平０２−０７７２７３
【特許文献３】特開２００８−２６７０９４
【考案の概要】
【考案が解決しようとする課題】
【０００７】  くさび型のドアストッパーのストッパー機能は、床面との静止摩擦力に依存している。静止摩擦力は、床面からの抗力と静止摩擦係数の積にて決まるもので、抗力はストッパー底面の凹凸に依存しないし、静止摩擦係数は物質の組合せにより決まるもので、やはりストッパー底面の凹凸に依存しない物理的属性がある。【０００８】  くさび型の低静止摩擦力を改善するため、本案ではストッパーの形体を創案することで、その床面に接する角部において最大の曲げモーメントを発生させ、これに起因する高圧縮応力による高静止摩擦力が、ドアの開放状態を強力に保持することにて、上記に示したくさび型のドアストッパーのストッパー機能の欠点を解決しようとするものである。
【課題を解決するための手段】
【０００９】  本案では、ドアストッパーの形体をＬ型にして、その床面に接する角部において最大の曲げモーメントを発生させ、これに起因する高圧縮応力による高静止摩擦力が、ドアの開放状態を強力に保持することで、上記に示したくさび型のドアストッパーのストッパー機能の欠点を解決することが期待される。
【考案の効果】
【００１０】  ドアストッパーの形体をＬ型にして、その床面に接する角部において最大の曲げモーメントを発生させ、これに起因する高圧縮応力による高静止摩擦力が、滑り摩擦に移行することなく、ドアの開放状態を強力に保持することを可能にした。【００１１】  玄関ドア底面と床面の間隔が大きい場合には、Ｌ型の開きを若干広げると二段重ねが可能となって、玄関ドアの開放状態を強力に実現できる。【００１２】  Ｌ型ドアストッパーを向い合わせ加工した凹型のものを、玄関ドア底面と床面の間の先端部に装着すれば、玄関ドアの開放状態を前後に揺らぐことなく確実に保持できる。この場合は、玄関ドア底面と床面の間隔の自由度がある。
【図面の簡単な説明】
【００１３】
【図１】本考案のＬ型ドアストッパーを玄関ドア底面と床面の間に装着した際のドア端面から見た正面図である。
【図２】図１よりもドアの底面高さが１センチ程度高い場合のドア端面から見た正面図である。底面高さが高い分、Ｌ型ドアストッパーは傾斜している。
【図３】図２よりもドアの底面高さがさらに高い場合の二段重ねの場合のドア端面から見た正面図正面図である。
【図４】本案のＬ型ドアストッパーを向い合わせ加工した凹型のものを、玄関ドア底面と床面の間の先端部に装着した場合のドア端面から見た正面図である。ドア底部の二点鎖線は、ドアの底部高さの自由度を示している。
【考案を実施するための形態】
【００１４】  本考案のＬ型ドアストッパーは、マンションやアパートの玄関ドア用に考案されたもので、ドア底面と床面の間隔は３〜６センチを想定している。本考案のＬ型ドアストッパーは、ドア先端部の底面と床面の間に押し込み力にて装着する。ドアの底面高さが４センチを超える場合は、二段重ねもできる。玄関ドアの開放状態を前後に揺らぐことなく確実に保持するためには、本案のＬ型ドアストッパーを向い合わせ加工した凹型のものを使用する。この場合は、玄関ドア底面と床面の間隔の自由度がある。
【実施例】
【００１５】  図１、図２及び図３は、いずれもドア先端部の底面と床面の間のドア裏面から装着した場合の実施例を示す。図４は、ドア先端部の底面と床面の間のドア端面から装着した場合の実施例を示す。
【符号の説明】  １  玄関ドア
２  床面
３  Ｌ型ドアストッパー
４  二段重ねのＬ型ドアストッパー
５  Ｌ型ドアストッパーを向い合わせにした凹型のドアストッパー
【図１】
0003235631.tif 000003
【図２】
0003235631.tif 000004
【図３】
0003235631.tif 000005
【図４】
0003235631.tif 000006
(57)【要約】      （修正有）【課題】茶箱を鞄として持ち運ぶための茶箱ホルダーを提供する。【解決手段】茶箱に鞄としての機能を与えるための茶箱ホルダー１であって、茶箱の側周面を囲む側周面ベルト２ａ、２ｂと、側周面ベルト２ａ、２ｂに取り付けられる取っ手４ａ、４ｂとを備える。【選択図】図１
0003235635.tif 000002
【実用新案登録請求の範囲】
【請求項１】
茶箱に鞄としての機能を与えるための茶箱ホルダーであって、前記茶箱の側周面を囲む側周面ベルトと、前記側周面ベルトに取り付けられる取っ手とを備えることを特徴とする茶箱ホルダー。
【請求項２】
前記側周面ベルトは、前記茶箱の前面において中央部が細くなることを特徴とする請求項１記載の茶箱ホルダー。
【考案の詳細な説明】
【技術分野】
【０００１】  本考案は、茶葉を保存する茶箱に布等で装飾をした茶箱を傷つけず、持ち運ぶための茶箱ホルダーに関するものである。
【背景技術】
【０００２】  装飾された茶箱は、本来の用途である保存の目的やインテリアとして据え置いて飾り、使用されていた。また布張り等によって装飾される前の、運搬、展示、格納に便利な茶箱は組み立て、分解が可能であった。（例  特許文献１）
しかし、装飾された茶箱は分解することは出来ず、そのままの形状で運搬しなければならなかった。
【先行技術文献】
【特許文献】
【０００３】
【特許文献１】実開昭６０−８４５１８号公報
【考案の概要】
【考案が解決しようとする課題】
【０００４】  茶箱の大きさの規格は概ね定型があり、その中でも小さいサイズを持ち運ぶためや、鞄としての用途への要望があった。しかし箱に取っ手をつけると箱に穴をあけることとなり、問題となっていた。また、特許文献１の茶箱は組み立て、分解が自在であるが、装飾された茶箱はその形状のまま運搬する必要があり、分解することが出来ないことが問題であった。
【課題を解決するための手段】
【０００５】  本考案の茶箱ホルダーは、茶箱に鞄としての機能を与えるための茶箱ホルダーであって、前記茶箱の側周面を囲む側周面ベルトと、前記側周面ベルトに取り付けられる取っ手とを備えることを特徴とする。
【考案の効果】
【０００６】  上述の様に、本考案の茶箱ホルダーは茶箱本体の意匠を損なわず持ち運ぶ取っ手として機能することにより茶箱にインテリアや保存以外の用途を見出すことが出来た。ホルダーの取っ手の長さや、本数を変えることによってさまざまな箱の大きに対応できるため、箱の大きさによって持ち運べることによる茶箱の用途の可能性を拡大した。
【図面の簡単な説明】
【０００７】
【図１】本考案の茶箱ホルダーの正面図である。
【図２】本考案の茶箱ホルダーを茶箱に装着した実施例を示す斜面図である。
【考案を実施するための形態】
【０００８】  以下、本考案の茶箱ホルダーについて図面を用いて説明する。
本発明の茶箱ホルダーは、茶箱に鞄としての機能を与えるために茶箱本体の側周面を囲み、これに取っ手をつけ持ち上げ、運ぶために支えるものである。
本実施形態の茶箱ホルダー１は、図１及び図２に示すように、茶箱の側周面を囲む側周面ベルト２と、側周面ベルト２に取り付けられる取っ手４とを備える。
【０００９】  側周面ベルト２及び取っ手４の素材は、革、布、ビニール、木材、プラスティック等茶箱の重量を十分に支え持つもの全般で制作可能である。
【００１０】  側周面ベルト２は、茶箱ホルダー１の側周面を囲むものであって、茶箱前面に配置するベルト３は、茶箱本体の意匠と干渉しない細さに調整する。図２の装着例のようにベルト３は茶箱本体から張り出した外枠の下で固定される。この構成によって、外枠に引っかけて茶箱を支え持つことができる。また、ベルト３は、茶箱側面から延伸する側周面ベルト部分２ａ，２ｂと金具（鋲）を用いて連結されている。そのため、ベルト３は金具により固定化または取り外し可能に構成されるので、その意匠を変化させることが出来る。
【００１１】  取っ手４は、１本または２本、金具により取り外しが出来る、または側周面を覆うベルト３と一体にするなど茶箱本体のサイズと重量により意匠は様々に展開可能である。本実施形態において、取っ手４は、両端が側周面ベルト２に当接し、この両端部分にそれぞれ孔が設けられ、この孔を側周面ベルト２が挿通することにより、側周面ベルト２と取っ手４とが連結されている。取っ手４は側周面ベルト２に金具を用いないで固定されているので、取っ手４を容易に付け替えることができる。
【００１２】  また、取っ手４は、前述の孔が設けられて側周面ベルト２が挿通する取っ手部分４ａ，４ｂと、取っ手部分４ａと取っ手部分４ｂとを繋ぐ持ち手部分８とを備える。持ち手部分８の両端と、取っ手部分４ａ、４ｂとはそれぞれ取り外し調整金具５（５ａ，５ｂ）及び調整金具固定鋲６（６ａ，６ｂ，６ｃ，６ｄ）を介して連結されている。そのため、調整金具５（５ａ，５ｂ）及び調整金具固定鋲６（６ａ，６ｂ，６ｃ，６ｄ）によって、持ち手部分８を容易に付け替えることができる。
【００１３】  本考案は、上述の記載に限られたものではなく、例えば側周面ベルトは、全て同一の幅で設けられていてもよい。また、取っ手の構成も上述の記載に限られたものではなく、取っ手部分と持ち手部分とが一体化されたものであってもよい。さらに、側周面ベルトと取っ手とが一体に構成されていてもよい。加えて、側周面ベルトと取っ手とを連結する構成も上述のものに限られず、適宜変更することができる。
【符号の説明】１・・・茶箱ホルダー
２（２ａ，２ｂ）・・・側周面ベルト
３（３ａ，３ｂ）・・・ベルト
４（４ａ，４ｂ）・・・取っ手
５（５ａ，５ｂ）・・・取り外し調整金具
６（６ａ，６ｂ，６ｃ，６ｄ）・・・調整金具固定鋲
７（７ａ，７ｂ，７ｃ，７ｄ）・・・ベルト固定鋲
８・・・持ち手部分
【図１】
0003235635.tif 000003
【図２】
0003235635.tif 000004
(57)【要約】      （修正有）【課題】使用時にカップまでの正確な方向性を格段に高めることが可能で、ボールの一点と弓形状のパターの一点（芯）とのインパクト時のコンタクトが正確に出来るゴルフ用三日月パターを提供する。【解決手段】三日月パターは、三日月形をした弓形状のパター面を有するゴルフパターである。人間の感性として弓形状の一点に集中することは容易に可能なこととされる。その結果としてカップへの方向性が一段と良くなり、また接点面が弓形状のゆえに直進性がより高まり、ボールとカップまでの距離が適正に改善される。【選択図】図２
0003235633.tif 000002
【実用新案登録請求の範囲】
【請求項１】
ゴルフのスコアメイクの決め手はパットの確率といわれ、そのポイントはパターでゴルフボールを打つ時の方向性が良くなるように集中力が自然と高まる構造が求められ、その為にパターヘッドの形状をインパクト時に必然的に一点に集中出来る事を可能とした弓形状のパター面を有する形状を特徴とする「三日月パター」を考案した。
【考案の詳細な説明】
【考案の詳細な説明】
この考案は、三日月形をした弓形状のパターヘッドを使うことで、より高いインパクトの集中力が期待できる。パターでの一番大切なことはボールに対してパターヘッドを打ち出す方向に正確に対応してインパクトが出来ているか否かである。「引っかけ」や「プッシュアウト」などショートパットの場合はいろんなミスヒットが起きている現状にある。この時の多くの原因はパターヘッドがインパクト時にヘッドの方向性がぶれることである。通常のパター面は直線的・平面的でありボールに対してすべての面が均等の角度で接する事となる。このことは逆にボールの一点をパターの芯で打つ為の集中力を弱めることになる。
本来ボール対してヒットするパター面は一点（芯）であり、それが平面的なパターであろうと弓形状のパターであっても同じ理論となる。従って、通常平面的でヒットポイントを多く持つパターヘッドは往々にしてアバウトなインパクトになってしまう傾向がある。よって、ボール面の一点と弓形状のパター面のある一点とのインパクトが要求されれば自然と集中力が高まってくることが期待出来る事となる。多面的な点を有する通常のパターに対してほぼ一点に集中せざる得ない弓形状のパター面の方が精神的集中力は必然的に高くなるものと推察出来る。グリーン上の１，５ｍから２ｍ程度のショートパットの入る確率はプロでも三割程度で、アマチュアのアベレージゴルファーにとってもスコアメイクの為にも大きな課題である。その確率を上げるために開発した弓形状の三日月形パターヘッドは唯一点のヒットポイントに集中出来ることが自然と高まる新しいゴルフパターである。  以上の構造等を図面によって説明を行う。
【図面の簡単な説明】
【図１】本考案の三日月パター（真上からと正面水平より）
【図２】三日月パターにボールをセットした状態
【図３】通常パターの特徴
【符号の説明】１・・・・曲線的
２・・・・限定的な接点（ピンポイント）
３・・・・直線的
４・・・・平面的（多数のヒットポイント）
【図１】
0003235633.tif 000003
【図２】
0003235633.tif 000004
【図３】
0003235633.tif 000005
(57)【要約】      （修正有）【課題】片手で洗髪のときに持ちやすく、頭皮を摩擦しやすく、頭毛をかき分けやすいシュロット育毛ブラシを提供する。【解決手段】両端のブラシは、天然の棕櫚の樹皮からなり、シュロット育毛ブラシ（２）は片手で洗髪のときに持ちやすく、ブラシ部分（１）は指４本で軽くつまみ頭皮を摩擦しやすく中央部分を棕櫚の茎とし、また、頭毛をかき分けやすくするために茎先を少し削り、先細にした。【選択図】図１
0003235630.tif 000002
【実用新案登録請求の範囲】
【請求項１】
両端のブラシは、天然の棕櫚の樹皮からなり、シュロット育毛ブラシ（２）は片手で洗髪のときに持ちやすく、ブラシ部分（１）は指４本で軽くつまみ頭皮を摩擦しやすく中央部分を棕櫚の茎、または、竹片の１カ所、頭毛をかき分けやすくするために茎先を少し削り、先細にしたことを特徴とするシュロット育毛ブラシ。
【考案の詳細な説明】
【技術分野】
【０００１】  本考案は、両端のブラシは、天然の棕櫚の樹皮からなり、シュロット育毛ブラシは片手で洗髪のときに持ちやすく、ブラシ部分と先細部は指４本で軽くつまみ頭皮を摩擦しやすく中央部分を棕櫚の茎、または、竹片の１カ所、頭毛をかき分けやすくするために茎先を少し削り、先細にしたことを特徴とするシュロット育毛ブラシに関するものである。
【背景技術】
【０００２】  従来、プラスチックの櫛状、または、動物毛の柔らか毛の物はあるが、棕櫚の樹皮毛の様な細毛で、しかも腰のある両端利用できるものはなかった。
【先行技術文献】
【０００３】
【特許文献】
【特許文献】特開２０１９−２０８９７３号公報
【考案の概要】
【考案が解決しようとする課題】
【０００４】  これは、次のような欠点があった。
従来の育毛剤は、複数の果実や植物のエキスの組み合わせや、また、医療等がある。
シュロット育毛ブラシ（２）は天然素材である。
早く言えば束子でも十分だが、束子だと使用するとき、周りの毛を巻き込んで薄毛の人は、その段階で使用を止めていた。
そこで、手軽で頭皮を優しく刺激できる様に考案した。
また、シュロット育毛ブラシ（２）は増毛だけでなく白髪も黒くなり一石二鳥である。
【課題を解決するための手段】
【０００５】  両端のブラシは、天然の棕櫚の樹皮からなり、シュロット育毛ブラシ（２）は片手で洗髪のときに持ちやすく、ブラシ部分（１）は指４本で軽くつまみ頭皮を摩擦しやすく中央部分を棕櫚の茎、または、竹片の１カ所、頭毛をかき分けやすくするために茎先を少し削り、先細にしたことを特徴とするシュロット育毛ブラシ。
【考案の効果】
【０００６】  通常通りシャンプーを付け洗髪をし、シャンプーの付いたままで毛並の部分で、３〜４回シューシューと前後に動かす。
この繰り返しで、週２〜３回の使用で、１カ月もすると何かしらの変化が表れ、４カ月もするとハッキリ増毛と黒髪の多さは解る。
養分的には何も添加物はなく、自然の恵みだけである。
【図面の簡単な説明】
【０００７】
【図１】  本考案の斜視図である。
【考案を実施するための形態】
【０００８】  以下、本考案の実施するための形態について説明する。
両端のブラシは、天然の棕櫚の樹皮からなり、シュロット育毛ブラシ（２）は片手で洗髪のときに持ちやすく、ブラシ部分と先細部（１）は指４本で軽くつまみ頭皮を摩擦しやすく中央部分を棕櫚の茎、または、竹片の１カ所、頭毛をかき分けやすくするために茎先を少し削り、先細にしたことを特徴とするシュロット育毛ブラシ。
本考案は育毛と黒髪のためのブラシで、マッサージではない。
シュロット育毛ブラシ（２）は片手で洗髪のときに持ちやすく、また、帯部分の先細の部分は髪の毛を分けやすくした。
棕櫚は古くから箒や束子等身近に使われていた。
使われ方は様々で、何れも素材そのものを活かしている。
今回のシュロット育毛ブラシ（２）も使い勝手よく棕櫚の毛をまとめた。
【符号の説明】
【０００９】１  ブラシ部分と先細部
２  シュロット育毛ブラシ
【図１】
0003235630.tif 000003
(57)【要約】      （修正有）【課題】新型コロナ禍、ウイルス、インフルエンザ、花粉症等、色々な細菌から安全を守り、全身の除菌をする機器を提供する。【解決手段】機器は、次亜塩素酸除菌機を備えたボックスであり、ボックス（ハイブリッド式除菌ボックス）に入室して入口の扉が閉まると、全身に左右から強風が吹き出し、全身に風を吹き付けて足元より上まで全身のウイルス、ホコリ等が頭上の除菌吸収フィルターに吸い寄せられる。その後、出口より出れば無菌状態となる。尚、足元は入口に入る前にアルコールを浸したスポンジ状の物で履物を消毒し、その後入室する。入室したら足元より１５ｃｍの所にある吹き出しから、２４時間次亜塩素酸が吹き出してボックス全体を消毒しているため、全身が消毒される。【選択図】図３
0003235643.tif 000002
【実用新案登録請求の範囲】
【請求項１】
木製、プラスチックの長方形の中に人が衣類をつけたまま入って扉を閉めると、全身を強風と次亜塩素酸除菌機から出る除菌液が全身を汚れやウイルスを除菌する機器である。
【考案の詳細な説明】
【考案の詳細な説明】
【考案が解決しようとする課題】
【０００１】  現在社会では手洗い、マスク、３密、換気など色々と身を守るための手段を尽くしていますが、身体の一部も大切ですが全身にも色々なウイルスが付着していて、特に医療従事者は病室を出入りするごとに全身のつけた物を新しい物に替えて従事している現状は、とても大変だと思います。その中において本機器はそれを全身除菌することで、いくらか医療従事者に安心感と少しでも多くの人を救うことができる本件の機器で解決させたい。
【課題を解決するための手段】
【０００２】  図２のボックス（ハイブリッド式除菌ボックス）に入室して入口の扉が閉まると、全身に左右の強風が吹き出し、全身に風が吹き付けて足元より上まで全身のウイルス、ホコリ等が頭上の除菌吸収フィルターに吸い寄せられます。その後、出口より出れば無菌状態となるのです。尚、足元は入口に入る前にアルコールを浸したスポンジ状の物で履物を消毒し、その後入室します。入室したら足元より１５ｃｍの所にある吹き出しから、２４時間次亜塩素酸が吹き出してボックス全体を消毒しているため、全身にも同時に消毒されます。
【考案の効果】
【０００３】  本件は社会全体でマスク、手洗い、消毒、３密、換気など色々と手を尽くしていますが、このハイブリッド除菌ボックスはまず全身の除菌をして、手の消毒、マスク、３密、換気と、それをすることにより目に見えてコロナ菌に対処できる効果がある。特に医療従事者においてこれから大いに必要とする効果がある。
【図面の簡単な説明】
【０００４】
【図１】ボックス正面。左右。天井。足元。
【図２】入口正面。出口正面。
【図３】内部イメージ図。左右図。
【符号の説明】
【０００５】図３の符号
Ａ．▲１▼吹き付け機強風モーター  ▲２▼次亜塩素酸で空気を洗う機器
▲３▼吸引モーター  ▲４▼吸引フィルター  ▲５▼フィルター用カバー
Ｂ．右横図面
Ｃ．左横図面
【図１】
0003235643.tif 000003
【図２】
0003235643.tif 000004
【図３】
0003235643.tif 000005
【手続補正書】
【提出日】令和3年9月29日(2021.9.29)
【手続補正１】
【補正対象書類名】実用新案登録請求の範囲
【補正対象項目名】全文
【補正方法】変更
【補正の内容】
【実用新案登録請求の範囲】
【請求項１】
木製又はプラスチックボックスの中に人が衣類をつけたまま入って扉を閉めると全身を強風とボックスにもうけられた次亜塩素酸除菌機から出る除菌液が全身の汚れやウイルスを除菌する機器。
(57)【要約】      （修正有）【課題】水田の水の入り口に設置し、光センサーを使用して朝になると水田に入る水を自動で止め、暗くなっていく夕方に水を水田に自動で入れる装置を提供する。【解決手段】水田の水口に取り付け、本体１上部に設けたコントロールボックス４により、夜になると装置に設けた開口部２で堰３が上に移動して水を通し、朝になると堰が下に移動して水を止める。【選択図】図１
0003235645.tif 000002
【実用新案登録請求の範囲】
【請求項１】
水田の水口取り付けることにより夕方に自動で堰が上に上がり水が入り、朝になると自動で堰が下に下がり水を止めるのを特徴とする装置。
【考案の詳細な説明】
【技術分野】
【０００１】本装置は水田の水口に設置して自動で夜に水を入れて、日中は水を止めるものです。
【技術背景】
【０００２】米作の水管理は普通は水田に水を入れるのに止水板を作って暗くなっていく夕方に止水板を上に移動させて田に水をいれ、朝止水板を下げて水を止める管理を毎日行います。
製品としては水口に設置する塩ビ製品がありますが、手操作して水を入れたり、止めたりする製品です。
他に、水田の水の量を自動で測定して水口から水を入れる製品等があります。
【考案の概要】
【０００３】毎日これを行うのが一般的で、これが意外と大変です。
【課題を解決するための手段】
【０００４】この装置により夕方に自動で水田に水が入り、朝になる自動で水を止める事になります。
【考案の効果】
【０００５】この製品により水田の朝、夕方の水管理の作業が省けます。
【図面の簡単な説明】
【０００６】
【図１】日中は水を止めている状態です。
【図２】夜間に水流している状態です。
【考案を実施するための形態】
【０００７】図１において朝になり明るくなるとコントロールボックスにより堰が下に下がり田に水が入るを止めます。
図２において夕方になり暗くなっていくとコントロールボックスにより堰が上に上がり田に水がはいるようになります。
【符号の説明】
【０００８】１  本体
２  開口部
３  堰
４  コントロールボックス
【図１】
0003235645.tif 000003
【図２】
0003235645.tif 000004